(57)【要約】【課題】  部材の端部に複雑な加工をしたり特別な部品を使用したりすることなく、ビスを締め込む際の部材の回転を確実に防止できる枠組体の提供。【解決手段】  竪部材１ａ，１ｂ及び横部材２ａ，２ｂを枠組した枠体２９と、枠体２９内に取付けたパネル３とを備え、竪部材と横部材は、内周側にパネル保持溝４ａ，４ｂをそれぞれ有し、竪部材と横部材のうちの一方の部材２ａ，２ｂは、第１タッピングホール５と第２タッピングホール６を有し、長手方向の端面２３が他方の部材１ａ，１ｂの内周側面２２に当接しており、第１タッピングホールには回り止め用ビス７がねじ込んであり、回り止め用ビスの頭７ａが他方の部材のパネル保持溝４ａに嵌合しており、他方の部材を貫通して一方の部材の第２タッピングホールにねじ込んだ固定用ビス８により竪部材と横部材を固定している。【選択図】      図１
2010168819.tif 000002
【特許請求の範囲】
【請求項１】
竪部材及び横部材を枠組した枠体と、枠体内に取付けたパネルとを備え、竪部材と横部材は、内周側にパネル保持溝をそれぞれ有し、竪部材と横部材のうちの一方の部材は、第１タッピングホールと第２タッピングホールを有し、長手方向の端面が他方の部材の内周側面に当接しており、第１タッピングホールには回り止め用ビスがねじ込んであり、回り止め用ビスの頭が他方の部材のパネル保持溝に嵌合しており、他方の部材を貫通して一方の部材の第２タッピングホールにねじ込んだ固定用ビスにより竪部材と横部材を固定していることを特徴とする枠組体。
【請求項２】
竪部材と横部材は、パネル保持溝が見込み方向の中心に対して一方側にずれた位置に設けてあり、第１タッピングホールは一方の部材のパネル保持溝の底部に設けてあり、第２タッピングホールは一方の部材の見込み方向の中心部に設けてあることを特徴とする請求項１記載の枠組体。
【請求項３】
請求項１又は２記載の枠組体を障子として用いていることを特徴とするサッシ。
【発明の詳細な説明】
【技術分野】
【０００１】
本発明は、パネルを竪横部材で囲んで枠組みした枠組体と、その枠組体を利用するサッシに関する。
【背景技術】
【０００２】
従来、サッシの障子枠は、竪框の上下端部内周側に横框の端部を呑み込ませる切り欠きを形成し、横框の端面を竪框内部の見込み方向の壁に突き当てた上で、外周側から竪框を貫通して横框のタッピングホールにビスをねじ込むことで竪横框を固定している。竪框の切り欠きは、横框の外形よりも大きめに形成され、ビスを締め込む際に横框が回転する不都合があった。
【０００３】
これを防止するため、特許文献１記載のものでは、竪框Ａのウェブ１３に突起１１５を形成し、この突起１１５が横框Ｂの縦壁３９の内側に係止することで横框Ｂが回転しないようにしている。しかし、そのように竪框Ａに突起１１５を形成するためには専用のプレス金型が必要となり、製造コストが増大する。また、竪框Ａにそのような突起を形成する代わりに、竪框Ａの端部に横框の回転防止用の部品を別途取付ける場合もあるが、当該部品は大変複雑な形状になるため、コストが増大する。いずれにしても竪框Ａには依然として横框Ｂを呑み込ませる切り欠き加工が必要で、その切り欠きの加工に手間が掛かる。
【先行技術文献】
【特許文献】
【０００４】
【特許文献１】特開平１０−３１７８３２号公報
【発明の概要】
【発明が解決しようとする課題】
【０００５】
本発明は以上に述べた実情に鑑み、部材の端部に複雑な加工をしたり特別な部品を使用したりすることなく、ビスを締め込む際の部材の回転を確実に防止できる枠組体と、これを利用したサッシの提供を目的とする。
【課題を解決するための手段】
【０００６】
上記の課題を達成するために請求項１記載の発明による枠組体は、竪部材及び横部材を枠組した枠体と、枠体内に取付けたパネルとを備え、竪部材と横部材は、内周側にパネル保持溝をそれぞれ有し、竪部材と横部材のうちの一方の部材は、第１タッピングホールと第２タッピングホールを有し、長手方向の端面が他方の部材の内周側面に当接しており、第１タッピングホールには回り止め用ビスがねじ込んであり、回り止め用ビスの頭が他方の部材のパネル保持溝に嵌合しており、他方の部材を貫通して一方の部材の第２タッピングホールにねじ込んだ固定用ビスにより竪部材と横部材を固定していることを特徴とする。
【０００７】
請求項２記載の発明による枠組体は、請求項１記載の発明の構成に加え、竪部材と横部材は、パネル保持溝が見込み方向の中心に対して一方側にずれた位置に設けてあり、第１タッピングホールは一方の部材のパネル保持溝の底部に設けてあり、第２タッピングホールは一方の部材の見込み方向の中心部に設けてあることを特徴とする。
【０００８】
請求項３記載の発明によるサッシは、請求項１又は２記載の枠組体を障子として用いていることを特徴とする。
【発明の効果】
【０００９】
請求項１記載の発明による枠組体は、一方の部材の第１タッピングホールにねじ込んだ回り止め用ビスの頭が他方の部材のパネル保持溝に嵌合することで、固定用ビスを締め込む際に他方の部材が回転するのを確実に防止し、第２タッピングホールにねじ込んだ固定用ビスにより竪横部材を容易に固定できる。一方の部材の端部に、他方の部材の回転防止用に突起を加工したり、特別な部品を取付けたりする必要がないので、コストを削減できる。
【００１０】
請求項２記載の発明による枠組体は、パネル保持溝を竪横部材の見込み方向の中心に対して一方側にずれた位置に配置し、一方の部材のパネル保持溝の底部に第１タッピングホールを設けたことで、一方の部材の断面が小さい場合であっても、一方の部材の回転を防止する効果を最大限に発揮させられ、また第２タッピングホールが一方の部材の見込み方向の中心部に位置していることで、固定用ビスが１本の場合でも竪横部材を強固に固定できる。
【００１１】
請求項３記載の発明によるサッシは、請求項１又は２記載の枠組体を障子として用いることで、竪横部材（竪横框）の端部の加工を省略して障子のコストを削減できると共に、障子の組立作業を容易化できる。
【図面の簡単な説明】
【００１２】
【図１】竪横框の接合手順を示す分解斜視図である。
【図２】図４のＡ−Ａ断面図である。
【図３】図４のＢ−Ｂ断面図である。
【図４】外障子の一部を拡大して示す室外側正面図である。
【図５】サッシの室外側正面図である。
【図６】サッシの縦断面図である。
【図７】サッシの横断面図である。
【発明を実施するための形態】
【００１３】
以下、本発明の実施の形態を図面に基づいて説明する。図５は本発明のサッシの一実施形態を示す室外側正面図であり、図６は同サッシの縦断面図、図７は同サッシの横断面図である。本サッシは、いわゆる引き違いサッシであり、躯体開口部１０に取付けたサッシ枠１１と、サッシ枠１１内に左右方向に摺動自在に取付けた外障子９ａと内障子９ｂを備えている。
サッシ枠１１は、アルミニウム合金の押出形材よりなる上枠１２と下枠１３と左右の竪枠１４ａ，１４ｂを方形に枠組みして構成され、内周側からのネジ１５で躯体開口部１０に固定されている。
外障子９ａと内障子９ｂは、アルミニウム合金の押出形材よりなる上下の横框２ａ，２ｂと戸先側及び戸尻側の竪框１ａ，１ｂとを方形に枠組して枠体２９を形成し、その枠体２９内にガラスパネル３を納めて構成してある。各障子９ａ，９ｂは、図５，６に示すように、上側の横框２ａの左右両端部に設けた吊戸車１６を上枠１２のレール１７に係合し、障子下部１８を下枠１３上面に形成したレール１９に係合して、左右方向に移動自在に上吊支持されている。
【００１４】
横框２ａ，２ｂと竪框１ａ，１ｂは、図６，７に示すように、見込み方向の中心に対して室外側にずれた位置にパネル保持溝４ａ，４ｂを有しており、パネル保持溝４ａ，４ｂ内にガスケット２０を介してガラスパネル３の外周部を保持させてある。
横框２ａ，２ｂは、図２と図６に示すように、パネル保持溝４ｂの底部に第１タッピングホール５を有し、見込み方向の中心部で且つ内周側壁２１の内側に第２タッピングホール６を有している。第１タッピングホール５と第２タッピングホール６とは、見込み方向に近接し、且つ障子の内外周方向に離隔した配置となっている。
第１タッピングホール５には、図２，３に示すように、回り止め用ビス７がねじ込まれ、回り止め用ビス７の頭７ａが竪框１ａ，１ｂのパネル保持溝４ａに嵌合している。第２タッピングホール６には、竪框１ａ，１ｂを貫通して固定用ビス８がねじ込んである。竪框１ａ，１ｂは、内周側にパネル保持溝４ａの開口と直線的に連続して横框当接面２２を有しており、横框２ａ，２ｂの長手方向の端面２３が該横框当接面２２に当接している。竪框１ａ，１ｂの上端部には端部キャップ２４が取付けてある。図中の符号２５は、端部キャップ２４を竪框１ａ，１ｂに固定しているビスである。
【００１５】
下側の横框２ｂの下部には、図４，６に示すように、上下方向に位置調整可能な調整部材２６が取付けてある。調整部材２６の左右両端部には端部キャップ２７が取付けてあり、端部キャップ２７は竪框１ａ，１ｂの中空部内に嵌入している。
【００１６】
次に、障子９ａ，９ｂの組立て手順を説明する。まず各框１ａ，１ｂ，２ａ，２ｂを所定の長さに切断し、図１（ａ）に示すように、横框２ａ，２ｂの第１タッピングホール５に回り止め用ビス７をねじ込む。竪框１ａ，１ｂには、固定用ビス８の挿通孔２８を予め形成しておく。その後、図１（ｂ）に示すように、横框２ａ，２ｂの端面２３を竪框１ａ，１ｂ内周側の横框当接面２２に当接させ、竪框１ａ，１ｂを貫通して固定用ビス８を横框２ａ，２ｂの第２タッピングホール６にねじ込み、竪框１ａ，１ｂと横框２ａ，２ｂとを固定する。固定用ビス８をねじ込む際、図３に示すように、回り止め用ビス７の頭７ａが竪框１ａ，１ｂのパネル保持溝４ａに嵌合するため、横框２ａ，２ｂの回転を確実に防止できる。ガラスパネル３は、四周縁部にガスケット２０を被せ、框同士を組むのと同時にパネル保持溝４ａ，４ｂに嵌め込んで取付ける。その後、障子９ａ，９ｂの上部に吊戸車１６と端部キャップ２４を取付け、障子９ａ，９ｂ下部に調整部材２６と端部キャップ２７を一体化した状態で取付ける。
【００１７】
以上に述べたように本サッシの障子９ａ，９ｂは、上下の横框２ａ，２ｂの第１タッピングホール５にねじ込んだ回り止め用ビス７の頭７ａを竪框１ａ，１ｂのパネル保持溝４ａに嵌合することで、固定用ビス８を締め込む際の横框２ａ，２ｂの回転を防止したので、竪框１ａ，１ｂの端部に横框２ａ，２ｂの回転防止用に突起や切り欠きを加工する必要がなく、また回り止め用ビス７は市販の一般的なビスを使用でき、複雑な形状の樹脂成型品を別途用意する必要もないため、障子９ａ，９ｂのコストを大幅に削減できる。また本障子９ａ，９ｂは、第２タッピングホール６を横框２ａ，２ｂの見込み方向の中心部に配置したことで、１本の固定用ビス８で竪框１ａ，１ｂと横框２ａ，２ｂとを強固に接合でき、しかも第１タッピングホール５及び回り止め用ビス７が第２タッピングホール６に対して障子の内外周方向に離隔した位置に配置してあるため、横框２ａ，２ｂの回転を防止する効果が高い。また、パネル保持溝４ｂを横框２ａ，２ｂの見込み方向の中心に対して室外側にずれた位置に配置し、横框２ａ，２ｂのパネル保持溝４ｂの底部に第１タッピングホール５を設けたことで、横框２ａ，２ｂの断面を小さくでき、且つ横框２ａ，２ｂの回転を確実に防止できる。回り止め用ビス７は、本来ネジとして必要な締付力を殆ど必要としないため、固定用ビス８と比べてネジ部の長さが短く且つ呼び径の小さいものを使用でき、回り止め用ビス８のねじ込みにかかる時間を短縮し、組み立て効率をより向上できる。さらに、竪框１ａ，１ｂの内周側にパネル保持溝４ａの開口と直線的に連続して横框当接面２２を有しているため、竪横框１ａ，１ｂ，２ａ，２ｂは所定の長さにまっすぐ切断しただけで組むことができ、框端部の加工を省略できる。
【００１８】
本発明は以上に述べた実施形態に限定されない。第１・第２タッピングホール５，６を竪部材１ａ，１ｂに形成し、竪部材１ａ，１ｂの端面を横部材２ａ，２ｂの内周側面に当接したものであってもよい。第２タッピングホール６を竪部材１ａ，１ｂ又は横部材２ａ，２ｂに複数設け、複数本の固定用ビス８で竪横部材を固定するものであってもよい。本発明の枠組体は、サッシの障子に限らず、サッシ枠、間仕切りや屋根等のパネル、看板、家具、ホワイトボードなど、あらゆる分野に利用できる。
【符号の説明】
【００１９】
１ａ，１ｂ  竪框（竪部材（他方の部材））
２ａ，２ｂ  横框（横部材（一方の部材））
３  ガラスパネル（パネル）
４ａ，４ｂ  パネル保持溝
５  第１タッピングホール
６  第２タッピングホール
７  回り止め用ビス
８  固定用ビス
９ａ  外障子（障子）
９ｂ  内障子（障子）
２９  枠体
【図１】
2010168819.tif 000003
【図２】
2010168819.tif 000004
【図３】
2010168819.tif 000005
【図４】
2010168819.tif 000006
【図５】
2010168819.tif 000007
【図６】
2010168819.tif 000008
【図７】
2010168819.tif 000009